(57)【要約】【課題】  犬等の四足動物に対して容易に装着でき、生地の選択範囲も拡大できる衣服を提供する。【解決手段】  犬１の前側を覆う前半部１１と、犬１の後脚３が通される一対の脚通し部１５を有し犬１の後側を覆う後半部１２とを備える衣服１０において、前半部１１には、犬１の背２を覆う後身頃部１３と、後身頃部１３から前方に帯状に延びるように設けられた一対の前身頃部１４とを設ける。前身頃部１４を犬１の肩５から前脚６の付け根の内側に向って巻き付け、さらには犬１の胸７で前身頃部１４を交差させつつそれらの先端部１４ａを後身頃部１３まで延ばし、それらの先端部１４ａを犬１に対して紐１７等の固定手段で固定する。【選択図】      図１
2006115731.tif 000002
【特許請求の範囲】
【請求項１】
四足動物の前側を覆う前半部と、前記四足動物の後脚が通される一対の脚通し部を有し該四足動物の後側を覆う後半部とを備え、前記前半部は、前記四足動物の背を覆う後身頃部と、前記後身頃部から前方に帯状に延びるように設けられ、前記四足動物の肩から前脚の付け根の内側に向って巻き付け可能であり、さらには前記四足動物の胸で交差しつつ先端部が前記後身頃部に達することが可能な一対の前身頃部と、前記前身頃部の先端部を前記四足動物に対して固定する固定手段とを備えている、ことを特徴とする動物用衣服。
【請求項２】
前記前半部と前記後半部とがそれらの幅方向の両端部にて互いに接合され、当該接合位置間では前記前半部と前記後半部とが互いに分離されていることを特徴とする請求項１に記載の動物用衣服。
【請求項３】
前記一対の前身頃部が互いに交差した状態で相互に接合されていることを特徴とする請求項１又は２に記載の動物用衣服。
【請求項４】
前記固定手段として、前記一対の前身頃部には前記四足動物の背上にて相互に結ぶことが可能な紐が設けられていることを特徴とする請求項１〜３のいずれか一項に記載の動物用衣服。
【発明の詳細な説明】
【技術分野】
【０００１】
本発明は、犬等の四足動物に適した衣服に関する。
【背景技術】
【０００２】
犬等のペットに装着される衣服として、一枚の生地、又は縫製されて一体化された生地に四肢を通す筒状部を形成したつなぎ型の衣服が知られている（例えば特許文献１、２参照）。
【特許文献１】特開２００１−２９９１２５号公報
【特許文献２】特開２００４−０７３０２０号公報
【発明の開示】
【発明が解決しようとする課題】
【０００３】
つなぎ型の衣服では、前脚を通す筒状部と後脚を通す筒状部とが相互につながっているため、前脚又は後脚のいずれか一方の脚を通した後に他方の脚を通す際にペットに無理な姿勢を強いることになる。ペットが嫌がって動くこともあり、着用に手間がかかる。四肢を通す際に衣服を大きく引き伸ばす必要があるため、衣服の生地に伸縮性が求められ、それにより生地の選択範囲が狭まる。
【０００４】
そこで、本発明は犬等の四足動物に対して容易に装着でき、生地の選択範囲も拡大できる衣服を提供することを目的とする。
【課題を解決するための手段】
【０００５】
本発明は、四足動物（１）の前側を覆う前半部（１１）と、前記四足動物の後脚（３）が通される一対の脚通し部（１５）を有し該四足動物の後側を覆う後半部（１２）とを備え、前記前半部は、前記四足動物の背を覆う後身頃部（１３）と、前記後身頃部から前方に帯状に延び、前記四足動物の肩（５）から前脚（６）の付け根の内側に向って巻き付け可能であり、さらには前記四足動物の胸（７）で交差しつつ先端部（１４ａ）が前記後身頃部に達することが可能な一対の前身頃部（１４）と、前記前身頃部の先端部（１４ａ）を前記四足動物に対して固定する固定手段（１７）とを備えた四足動物用衣服（１０）により、上述した課題を解決する。
【０００６】
本発明の衣服は、後半部の脚通し部に後脚を通して後半部を尻回りに装着し、後身頃部を背に当て、前身頃部を肩から前脚の付け根の内側に向って巻き付けて前身頃部を胸上で互いに交差させ、それらの前身頃部の先端部を前脚の後方から外側に引き出して固定することにより四足動物に対して着せ付けられる。このような着用手順によれば、前身頃部を前脚に通す必要がないため、四足動物に無理な姿勢を強いることがなく、四肢を通すタイプの従来のつなぎ型の衣服に比して容易に衣服を着せることができる。また、四肢を通すために衣服を無理に引き伸ばす必要がなくなるので、衣服の生地に求められる伸縮性の要求が緩和される。そのため、生地の選択範囲も広がる。
【０００７】
本発明の一態様においては、前記前半部と前記後半部とがそれらの幅方向の両端部にて互いに接合され、当該接合位置（ＳＰ１）間では前記前半部と前記後半部とが互いに分離されてもよい。この態様によれば、動物の体格、例えば胴長さ（前脚と後脚間の距離）に応じて前半部と後半部との分離部分が広がったり狭まることができるため、動物の体格や種類の相違に対する衣服の適応性が高まる。これにより、衣服の着用の手間がさらに軽減される。動物の体格や種類の相違に応じて揃えるべき衣服のサイズ数を減らし、衣服の製造、流通、在庫管理等の手間を軽減することもできる。着用時にも前半部と後半部との分離部分が広がるので生地に求められる伸縮性の要求がさらに緩和され、従来よりも生地の選択範囲がさらに広がる。
【０００８】
本発明の一態様においては、前記一対の前身頃部が互いに交差した状態で相互に接合されてもよい。この態様によれば、一対の前身頃部と後身頃部との間に形成される環状部分に動物の頭部を通して前身頃部の交差部分を動物の胸に当てることにより、各前身頃部を肩回りから前脚の付け根を回って胸上で交差するように装着することができる。これにより、前身頃部の着せ方をユーザが誤るおそれがなく、ユーザが前身頃部を容易かつ適正に動物に着せることができる。
【０００９】
本発明の一態様においては、前記固定手段として、前記一対の前身頃部には前記四足動物の背上にて相互に結ぶことが可能な紐（１７）が設けられてもよい。この態様によれば、一対の前身頃部を動物の胸で交差させた状態で紐を脇から引き出して背上で結ぶことにより、前身頃部の先端部を胸から背に向って後身頃部上に巻き付け、それにより前身頃部を動物に対してその体格や種類に拘わりなく十分にフィットさせることができる。
【００１０】
なお、以上の説明では本発明の理解を容易にするために添付図面の参照符号を括弧書きにて付記したが、それにより本発明が図示の形態に限定されるものではない。
【発明の効果】
【００１１】
以上に説明したように、本発明によれば、衣服の後半部の脚通し部のみを後脚に通し、前半部に関しては後身頃部を背に当て、前身頃部を肩から前脚の付け根の内側に向って巻き付けて前身頃部を胸上で互いに交差させ、それらの前身頃部の先端部を前脚の後方から外側に引き出して固定するようにしたので、前身頃部を前脚に通す必要がなくなる。そのため、四足動物に無理な姿勢を強いることがなく、四肢を通すタイプの従来のつなぎ型の衣服に比して容易に衣服を着せることができる。また、四肢を通すために衣服を無理に引き伸ばす必要がなくなるので、衣服の生地に求められる伸縮性の要求が緩和され、それにより生地の選択範囲が広がる。
【発明を実施するための最良の形態】
【００１２】
図１は本発明の一形態に係る衣服を犬に装着した状態を示す斜視図であり、図２は衣服の斜視図、図３は衣服を展開した状態を表側から見た図、図４は衣服を展開した状態を裏側から見た図である。図１に示すように、衣服１０は犬１の前側を覆う前半部１１と、犬１の後側を覆う後半部１２とを備えている。前半部１１は、犬１の背２（図５参照）を覆う後身頃部１３と、その後身頃部１３から前方に延びる一対の前身頃部１４とを備えている。一方、後半部１２は、犬１の後脚３が通される一対の筒状の脚通し部１５（図１では片側のみ示す。）を備えている。なお、前半部１１と後半部１２とは互いに別部品として作製されている。前半部１１と後半部１２とは互いに同一の生地にて作製されてもよいし、異なる生地で作製されてもよい。
【００１３】
図２〜図４に示すように、前半部１１の後身頃部１３は平坦なシート状に形成されており、その後身頃部１３の前縁部の幅方向（図３及び図４において左右方向）の中央には円弧状に延びる切り抜き部１３ａが設けられている。切り抜き部１３ａは犬１の頸部と後身頃部１３との干渉を防ぐために設けられている。前身頃部１４はその切り抜き部１３ａから後身頃部１３の幅方向両端にかけての範囲において後身頃部１３と接合され、その接合部分から前方に向って帯状に延びている。各前身頃部１４の先端部１４ａには固定手段としての紐１７が設けられている。一方、後半部１２は、シート状の尻当て部１６の幅方向の両端に上述した脚通し部１５を形成した構成を有している。言い換えれば、尻当て部１６を形成するための生地の両端を筒状に縫い合わせて脚通し部１５を形成することにより、後半部１２が概略構成されている。
【００１４】
尻当て部１６の前縁中央にはゴムバンド１８が縫い付けられ、そのゴムバンド１８の取付部分を除く尻当て部１６の縁部には、伸縮性を有する縁テープ１９が全周に亘って取り付けられている。脚通し部１５の先端にも伸縮性を有する縁テープ２０が当該脚通し部１５を一周するように取り付けられ、それにより脚通し部１５の先端は内側に絞られている。
【００１５】
以上のように構成された前半部１１と後半部１２とは図３及び図４に示す縫製位置ＳＰ１にて互いに接合される。縫製位置ＳＰ１は後身頃部１３の幅方向両端部に設定されており、それらの縫製位置ＳＰよりも内側の領域では前半部１１と後半部１２とは互いに分離された状態である。また、前半部１１はその後身頃部１３の後端が後半部１２の尻当て部１６の表側に幾らか覆い被さるようにして後半部１２と接合される（図２参照）。
【００１６】
次に、図５及び図６を参照して衣服１０を犬１に着せる手順を説明する。まず、図５に示すように、後半部１２の脚通し部１５を犬１の後脚３に通して尻当て部１６で犬１の尻４の回りを覆うことにより後半部１２を犬１の後側に着せる。次に、図５の矢印Ａ方向に前半部１１を引き寄せて後身頃部１３を犬１の背２に当てる。さらに、図６に矢印Ｂで示すように前身頃部１４を犬１の肩５から前脚６の付け根付近に添わせつつ前身頃部１４を前脚６の内側に回して前身頃部１４を犬１の胸７で互いに交差させる。このとき、好ましくは前身頃部１４を右前となるように重ね合わせる。そして、交差した前身頃部１４の先端部１４ａを前脚６の後方に送り込んで脇から外側に引き出し、これらを背２に向って引き上げて紐１７を背２上で互いに結び合わせる。これにより、図１に示すように衣服１０を犬１に着せることができる。この状態では衣服１０により犬１の大半を覆うことができる。なお、犬１の尾９から下方の部分は尻覆い部１６や脚通し部１５にて覆われることなく露出し、また犬１の下腹部も後身頃部１３にて覆われることなく露出する（図７参照）。従って、排泄等で衣服１０が汚れる心配はない。
【００１７】
以上の説明から明らかなように、本形態の衣服１０によれば、後脚３のみを衣服１０に通し、前脚６に対しては前身頃部１４を巻き付けるだけでよい。従って、四肢の全てを衣服に通す場合と比較して装着に手間がかからず、犬１に無理な姿勢を強いる必要がない。また、後脚３を通した後に前脚６を通すために衣服１０の生地を大きく伸ばす必要もないから、生地の伸縮性に関する要求も従来より緩和される。四肢を通すタイプのつなぎ状の衣服では伸縮性に富んだジャージ素材を生地に使用することが多いが、本形態ではこれに限らず各種の生地を使用することができる。
【００１８】
例えば、衣服１０の裏地に毛が刺さりにくい素材を使用することにより、衣服を脱がせた後に生地に刺さった抜け毛を取り除く手間を軽減することができる。毛の刺さりにくさは生地を構成する糸の密度と相関を有すると考えられ、密度が高いもの、つまり目が詰まっている素材程毛が刺さりにくい。一例として、縦方向に７５デニール、横方向に４５デニールのＴ／Ｃ（テトロン・コットン）にて構成され、糸本数が１インチ（２５．４ｍｍ）四方で縦１３０本×横１００本、糸の素材の混率がポリエステル８０％、コットンが２０％、目付が１００ｇ／ｍ２の商品名Ｔ・Ｔ／Ｃ（テトロン・テトロン・コットン（但し、テトロンはポリエステルに関する登録商標）を裏地として用いることができる。
【００１９】
さらに、上記の衣服１０において、前半部１１と後半部１２とは両者の幅方向両端部の縫製位置ＳＰ１を除く他は互いに分離されている。従って、犬１の体格や種類の相違に応じて前半部１１と後半部１２との分離部分が広がったり、狭まったりすることにより、同一サイズの衣服１０で比較的広範囲な体格、犬種に対応することができる。これにより、衣服１０に関して用意すべきサイズ数を減らし、それにより、衣服１０の製造、流通、在庫管理等の手間を軽減することができる。前身頃部１４の先端部１４ａを後身頃部１３に重ねて背２上で紐１７を結ぶようにしたので、犬１の胸７から背２にかけて前身頃部１４を十分にフィットさせることができる。
【００２０】
上記の形態において、前身頃部１４を図３及び図４に示す縫製位置ＳＰ２、ＳＰ３で互いに縫い合わせることにより、前身頃部１４を互いに交差した状態で相互に接合してもよい。この場合には、後身頃部１３の前縁と前身頃部１４とによって形成される環状部分に犬１の頭８を通すだけで前身頃部１４を肩５から胸７にかけて正しく装着することができ、前身頃部１４の先端部１４ａを前脚６の内側から脇に引き出して紐１７を結ぶだけで前身頃部１４の装着が完了する。従って、ユーザが前身頃部１４を誤って装着するおそれがなく、衣服１０をより容易かつ適切に犬１に着せることができる。
【００２１】
衣服１０のデザインは図示の例に限らず、適宜に変更してよい。図８〜図１５に幾つかの変形例を示す。図８は頭８を覆うフード２２を後身頃部１３に取り付けることにより衣服１０をレインウエアのようにデザインした例である。図９は脚通し部１５の先端の縁テープ２０を脚通し部１５の内側に取り付けることにより衣服１０を作務衣のようにデザインした例である。図１０及び図１１は紐１７を太くして結び目をリボン状に見えるように構成するとともに、前半部１１の後端に裾部２３を設け、さらに後半部１２の脚通し部１５の先端を短縮しかつ縁テープ２０による絞りを省略して、衣服１０を着物又は浴衣のようにデザインした例である。裾部２３は後半部１２に設けてもよい。図１２及び図１３は脚通し部１５の先端の縁テープ２０を廃止し、これに代えて縫いかがり部２４を設けて衣服１０を甚平のようにデザインした例である。図１４及び図１５は前半部１１の後端にフリル状の裾部２５を設けるとともに、前脚６に巻き付けられる前身頃部１４の縁や紐１７の先端にもフリル状の装飾物２６、２７を取り付けることにより、衣服１０をドレスのようにデザインした例である。脚通し部１５は裾部２５に隠れるように短縮されている。なお、裾部２５は後半部１２に取り付けてもよい。その他にも各種のデザインを採用してよい。デザインに応じて衣服１０の表地の素材を適宜に変更してよい。
【００２２】
本発明は以上の形態に限らず、種々の形態にて実施してよい。例えば、固定手段は紐に限らず、スナップ、ホック、ボタン、面ファスナー、ベルトその他の各種の固定具を利用してよい。前身頃部の先端部同士を固定手段にて連結する構成に限らず、前身頃部の先端部を後身頃部に固定手段にて連結してもよい。上記の形態では前半部と後半部とを縫製位置ＳＰ１で縫い合わせて相互に接合しているが、その接合にもスナップ、ホック、ボタン、ファスナー、面ファスナーその他の各種の接合手段を利用してよい。本発明では、前半部と後半部とを幅方向全長に亘って接合した場合もその範囲に含む。このような態様であっても、前脚を通す必要がないので着用が容易でかつ素材の伸縮性に関する要求も緩和される。前半部と後半部とを伸縮性を有する素材を介して相互に接合してもよい。前身頃部同士を交差した状態で接合する態様に関しても、上記と同様の各種の接合手段を用いてよい。本発明は犬用の衣服に限らず、猫その他の各種のペット、あるいはペット以外の各種の四足動物に対しても適用することができる。
【図面の簡単な説明】
【００２３】
【図１】本発明の一形態に係る衣服を犬に装着した状態を示す斜視図。
【図２】本発明の一形態に係る衣服の斜視図。
【図３】衣服を展開した状態を表側から見た図。
【図４】衣服を展開した状態を裏側から見た図。
【図５】衣服の着用手順を示す斜視図。
【図６】図５に続く着用手順を示す斜視図。
【図７】衣服を着用した犬を後方から見た様子を示す図。
【図８】衣服をレインウエアのようにデザインした変形例を示す斜視図。
【図９】衣服を作務衣のようにデザインした変形例を示す斜視図。
【図１０】衣服を着物又は浴衣のようにデザインした変形例を示す斜視図。
【図１１】図１０の衣服を着用した犬をその後方から見た様子を示す図。
【図１２】衣服を甚平のようにデザインした変形例を示す斜視図。
【図１３】図１２の衣服を着用した犬をその後方から見た様子を示す図。
【図１４】衣服をドレスのようにデザインした変形例を示す斜視図。
【図１５】図１０の衣服を着用した犬をその後方から見た様子を示す図。
【符号の説明】
【００２４】
１  犬（四足動物）
２  背
３  後脚
４  尻
５  肩
６  前脚
７  胸
８  頭
９  尾
１０  衣服
１１  前半部
１２  後半部
１３  後身頃部
１４  前身頃部
１４ａ  前身頃部の先端部
１５  脚通し部
１６  尻当て部
１７  紐（固定手段）
【図１】
2006115731.tif 000003
【図２】
2006115731.tif 000004
【図３】
2006115731.tif 000005
【図４】
2006115731.tif 000006
【図５】
2006115731.tif 000007
【図６】
2006115731.tif 000008
【図７】
2006115731.tif 000009
【図８】
2006115731.tif 000010
【図９】
2006115731.tif 000011
【図１０】
2006115731.tif 000012
【図１１】
2006115731.tif 000013
【図１２】
2006115731.tif 000014
【図１３】
2006115731.tif 000015
【図１４】
2006115731.tif 000016
【図１５】
2006115731.tif 000017